(57)【要約】【課題】殺菌処理がし易く、密封性が良好で内側が汚染しにくく、容器への装着性がよく、使用し易い無菌充填包装対応の１ピース口栓を提供する。【解決手段】口栓本体の後方にベルト巻き方式ヒンジで蓋部が接続する１ピース口栓で、口栓本体は、外周下端にフランジをもち内周面の下方開きの傾斜角度が７５°以下である台座リングに、外周上端に咬合リングをもつ注出筒を立設し、注出筒の内側下方を封鎖板で封鎖し、封鎖板の上面の開口予定位置に環状切込みを設けて環状薄肉脆弱線を形成し、環状薄肉脆弱線の後方の内側近傍に後方へ矢印形状の支柱を立設し、支柱先端にＶ字状に接続し前方上向きのプルリングを設け、注出筒の左右両側で台座リング上面に複数の装着ガイド兼蓋部密接リブを立設し、蓋部は、前方の周壁部下端外周に開閉用つまみを設け、天板部下面にインナー封止リングを垂設し、周壁部下端内周面に咬合リングを設ける。【選択図】図１
2005271985.tif 000002
【特許請求の範囲】
【請求項１】
口栓本体の後方にベルト巻き方式ヒンジ部を介して蓋部が開閉可能に接続する１ピース口栓であって、前記口栓本体は、外周下端にフランジを周設し内周面の下方開きの傾斜角度が７５°以下である台座リングに、外周上端に咬合リングを設ける注出筒を立設し、該注出筒の内側下方を封鎖板を設けて封鎖し、該封鎖板の開口予定位置に上面に環状切込みを設けて下面に環状薄肉脆弱線を形成し、該環状薄肉脆弱線の後方の内側近傍上面に後方へ矢印形状の支柱を立設し、該支柱の先端にＶ字状に接続し前方へ上向きのプルリングを設け、前記注出筒の左右両側で前記台座リングの上面に、複数個の装着ガイド兼蓋部密接リブを対応させて立設し、前記蓋部は、前方の周壁部下端外周に開閉用つまみを突設し、天板部下面にインナー封止リングを垂設し、周壁部下端内周面に咬合リングを設け、前記口栓本体に前記蓋部を閉じたときに、前記蓋部のインナー封止リングが前記口栓本体の注出筒の先端部内周面と密接し、前記蓋部の咬合リングが前記口栓本体の注出筒の咬合リングと咬合し、前記蓋部の周壁部の下端面が、前記口栓本体の装着ガイド兼蓋部密接リブの上端面に密接することを特徴とする無菌充填包装対応の１ピース口栓。
【発明の詳細な説明】
【技術分野】
【０００１】
本発明は、食品などの無菌充填包装に使用する液体用紙容器の注出位置に内付けで突設される無菌充填包装対応の１ピース口栓に関するものである。
【背景技術】
【０００２】
従来、食品や非食品などの液体内容物に使用される液体紙容器には、使用時の使い易さを考慮して、例えば図６に示すように、胴部（２１）が四角筒状で、切り妻屋根形の頂部の傾斜板（２２）にキャップ（４００）と口栓本体（１００）とからなる２ピース口栓（１０）を突設した口栓付液体用紙容器（２０）が、広い用途範囲にわたって使用されていた。この口栓（１０）は、例えば図７に示すように、容器（２０）の口栓取付孔（２３）から突出する口栓本体（１００）の注出筒（１２０）にキャップ（４００）を螺着したものであるが、通常では、流通時の密封性の完全さやバージン性の確保、または、使用時の易開封性を兼ね備えるために、スパウトの注出筒の内側の下方に封鎖板（１３０）を設けて封止し、使用時に開口するために、封鎖板の下面の所定位置に逆Ｖ字状の環状切込み（１３１）を設けて、上面の開口予定位置に環状薄肉脆弱線（１３２）を形成し、この環状薄肉脆弱線の内側近傍の上面の所定の一側に、先端にプルリング（１３４）をもつ支柱（１３３）を立設したものであり、容器を開封するために口栓を開口するときには、キャップを取り外し、口栓本体の注出筒の内側に収容されているプルリングに指先を掛けて上方へ引っ張って、封鎖板の環状薄肉脆弱線を引き裂いて開口していた。なお、開口したスパウトは、使用したのちに、キャップを注出筒に螺合して装着して再封止するものであった。
【発明の開示】
【発明が解決しようとする課題】
【０００３】
ところで、最近では、食品の場合には、食品を高温短時間殺菌してから、過酸化水素などで殺菌した容器に充填する無菌充填包装が一般的に行われるようになり、この無菌充填包装の容器として、口栓付の液体紙容器も使用されてようになってきた。しかしながら、内容物を高温充填後に、容器を冷却するためにシャワー冷却工程があり、従来の図７に示す２ピース口栓（１０）のキャップ（４００）においては、キャップの裾部から、キャップと口栓本体（１００）との隙間に冷却水が浸入したり、また、保管中に塵埃や微生物などが侵入して、キャップの周壁（４２０）の雌ネジ（４２１）を形成する内面と口栓本体の注出筒（１２０）の雄ネジ（１２２）を形成する外面が汚染されることがあり、さらに、コンタクト封止リング（４１１）やインナー封止リング（４１２）による密封では、冷却水、塵埃、微生物などが注出筒の内側に侵入して汚染することがあった。また、容器内面を過酸化水素で殺菌するときに、口栓本体の台座リング（１１０）の内周面がほぼ垂直であり、封鎖板（１３０）の外周下面との接続位置に角部ができ、この角部が殺菌しにくいことがあった。また、封鎖板の下面には逆Ｖ字状の環状切込み（１３１）があり、この切込みも殺菌しにくいことがあった。また、殺菌処理時に、キャップと口栓本体との隙間に侵入した過酸化水素を排除しにくく、残存する過酸化水素量が問題となることもあった。このため、口栓本体に蓋部がヒンジ部を介して開閉可能に接続する１ピース口栓で無菌充填包装対応の液体用紙容器の口栓が求められていた。
【０００４】
本発明は、上述の従来の無菌充填包装における液体用紙容器の口栓の問題点を解決したものであり、殺菌処理がし易く、密封性が良好で内側が汚染しにくく、容器への装着性がよく、使用し易い無菌充填包装対応の１ピース口栓を提供するものである。
【課題を解決するための手段】
【０００５】
すなわち、本発明は、口栓本体の後方にベルト巻き方式ヒンジ部を介して蓋部が開閉可能に接続する１ピース口栓であって、前記口栓本体は、外周下端にフランジを周設し内周面の下方開きの傾斜角度が７５°以下である台座リングに、外周上端に咬合リングを設ける注出筒を立設し、この注出筒の内側下方に封鎖板を設けて封鎖し、この封鎖板の開口予定位置に上面に環状切込みを設けて下面に環状薄肉脆弱線を形成し、この環状薄肉脆弱線の後方の内側近傍上面に後方へ矢印形状の支柱を立設し、この支柱の先端にＶ字状に接続し前方へ上向きのプルリングを設け、前記注出筒の左右両側で前記台座リングの上面に、複数個の装着ガイド兼蓋部密接リブを対応させて立設し、前記蓋部は、前方の周壁下端外周に開閉用つまみを突設し、天板下面にインナー封止リングを垂設し、周壁下端内周面に咬合リングを設け、前記口栓本体に前記蓋部を閉じたときに、前記蓋部のインナー封止リングが前記口栓本体の注出筒の先端部内周面と密接し、前記蓋部の咬合リングが前記口栓本体の注出筒の咬合リングと咬合し、前記蓋部の周壁の下端面が、前記口栓本体の装着ガイド兼蓋部密接リブの上端面に密接することを特徴とする無菌充填包装対応の１ピース口栓である。
【発明の効果】
【０００６】
本発明の無菌充填包装対応の１ピース口栓（１０）は、図１に示すように、口栓本体（１００）の台座リング（１１０）の内周面が傾斜角度（θ°）が７５°以下の下方開きで封鎖板（１３０）との接続部が湾曲面にでき、口栓本体の封鎖板下面に環状切込み（１３１）がなく平坦であり、また、ヒンジ部（４００）がベルト巻き方式で合わせ目に間隙ができるため、過酸化水素などによる殺菌処理を容易に行うことができる。
【０００７】
また、本発明の無菌充填包装対応の１ピース口栓（１０）は、図１に示すように、口栓本体（１００）に蓋部（２００）を閉じると、蓋部の天板（２１０）下面に垂設するインナー封止リング（２２１）が口栓本体の注出筒（１２０）の先端部内周面と密接し、同時に、蓋部の周壁（２２０）下端内周面に設けられた咬合リング（２２１）が口栓本体の注出筒の外周上端に設けられた咬合リング（１２１）としっかり咬合するため、口栓の密封性が良好であり、高温充填後の冷却水、保管時の塵埃や細菌、殺菌処理時の過酸化水素などの口栓内侵入による汚染が防げる。チルド流通における賞味期間の延長、また、常温流通への適用が可能となる。
【０００８】
また、本発明の無菌充填包装対応の１ピース口栓（１０）は、図２（ａ）及び（ｂ）に示すように、口栓本体（１００）の注出筒（１２０）の左右両側で台座リング（１１０）の上面に複数個の装着ガイド兼蓋部密接リブ（１５０）を対応させて立設しており、このリブは、図１に示すように、口栓（１０）を液体用紙容器（２０）の注出取付孔（２３）に内付けで突設するときに、装着ガイドの役目を果たし、また、口栓を超音波溶着法で液体用紙容器に溶着するときに、ホーン内で口栓の中心位置決めの役目も果たすものである。なお、図１に示すように、リブの上端面が蓋部（２００）の周壁（２２０）下端面に密接しているため、蓋を口栓本体に打栓するときの圧力受けの役目を果たし、また、殺菌処理がし易くなる。
【０００９】
また、本発明の無菌充填包装対応の１ピース口栓（１０）は、図１、図２（ａ）及び（ｂ）に示すように、口栓本体（１００）の後方にベルト巻き方式ヒンジ部（３００）を介して蓋部（２００）が開閉可能に接続するものであり、使用するときに、蓋部の前方の周壁（２２０）下端外周に突設する開閉用つまみ（２３０）により蓋部の開閉が容易である。また、図１に示すように、注出筒（１２０）内に収容されている封鎖板（１３０）を開口するためのプルリング（１３４）は、図４に示すように、支柱（１３３）の先端にＶ字状に接続し、図１に示すように、前方へ上向きに設けられており、プルリングに指を掛け易く、支柱（１３３）は、図５に示すように、環状薄肉脆弱線（１３２）の後方の内側近傍位置で形状が後方へ矢印形状であるため、環状薄肉脆弱線の後方部に破断力が集中して
破断のきっかけができ、環状薄肉脆弱線の破断がし易くなる。本発明の口栓は、使用するときに使用し易い口栓である。
【発明を実施するための最良の形態】
【００１０】
次に、本発明の無菌充填包装対応の１ピース口栓の一実施形態について、図を用いて詳細に説明する。
【００１１】
図１は、本実施形態の無菌充填包装対応の１ピース口栓の断面図であり、図２（ａ）は、その平面図で、図２（ｂ）は側面図である。図３は、図２（ｂ）Ａ−Ａ’線断面図である。図４は、支柱先端に接続するプルリングの接続形状を示す断面図で、図５は、そのＢ−Ｂ’線断面図である。図６は、一例の口栓付液体用紙容器の斜視図である。
【００１２】
本実施形態の無菌充填包装対応の１ピース口栓（１０）は、図１に示すように、口栓本体（１００）の後方にベルト巻き方式ヒンジ部（４００）を介して蓋部（２００）が開閉可能に接続するものであり、例えば、胴部が四角筒状の液体用紙容器の頂部傾斜板の口栓取付孔に、超音波融着法で内付けで熱融着して突設させるものである。この口栓は、通常では、使用目的にあった剛性をもつ例えばポリプロピレンやポリエチレンなどの熱可塑性樹脂を用い、射出成形法により蓋部と口栓本体とを一体に成形して作製するものである。
【００１３】
本実施形態の口栓本体（１００）の構造は、図１に示すように、外周下端に液体用紙容器（２０）の口栓取付孔（２３）に熱融着するフランジ（１４０）を周設し内周面の下方開きの傾斜角度（θ°）が７５°以下である台座リング（１１０）に、外周上端に蓋部（２００）との咬合リング（１２１）を設ける注出筒（１２０）を立設し、この注出筒の内側下方を封鎖板（１３０）を設けて封鎖し、この封鎖板の開口予定位置に上面に垂直断面形状Ｖ字状の環状切込み（１３１）を設けて下面に環状薄肉脆弱線（１３２）を形成し、この環状薄肉脆弱線の後方の内側近傍上面に、図３及び図５に示すように、水平断面形状が後方へ矢印形状の支柱（１３３）を立設し、この支柱（１３３）の先端に、図４に示すようにＶ字状に接続し、図１に示すように前方へ上向きのプルリング（１３４）を設け、図２（ａ）及び（ｂ）に示すように、注出筒（１２０）の左右両側で台座リング（１１０）の上面に、６個の装着ガイド兼蓋部密接リブ（１５０）を左右３個ずつ対応させて立設するものである。なお、台座リングの内周面の下方開きの傾斜角度を７５°以上にすると、封鎖板との接続部に湾曲面が小さい角部ができ殺菌しにくくなる。また、図２（ａ）及び（ｂ）に示すように、台座リング（１１０）の外周面上方位置には、液体用紙容器の口栓取付孔に口栓を装着し易くするために、４個の仮止め突起（１１１）を等間隔に対応させて突設するものである。
【００１４】
本実施形態の蓋部（２００）の構造は、図１に示すように、前方の周壁（２２０）下端外周に開閉用つまみ（２３０）を突設し、天板（２１０）下面に口栓本体（１００）の注出筒（１２０）を封止するインナー封止リング（２１１）を垂設し、周壁下端内周面に口栓本体との咬合リング（２２１）を設けるものである。そして、口栓本体に蓋部を閉じたときに、蓋部のインナー封止リング（２１１）が口栓本体の注出筒（１２０）の先端部内周面と密接し、蓋部の咬合リング（２２１）が口栓本体の注出筒の咬合リング（１２１）と咬合し、蓋部の周壁（２２０）の下端面が、口栓本体の装着ガイド兼蓋部密接リブ（１５０）の上端面に密接するように、製品設計するものである。
【００１５】
なお、本実施形態の無菌充填包装対応の１ピース口栓は、無菌充填包装時の殺菌処理がし易く、流通過程における密封性が良好で内側が汚染しにくく、液体用紙容器への口栓の装着性が良好であり、使用するときに、使い易い口栓であった。
【図面の簡単な説明】
【００１６】
【図１】本発明の一実施形態の無菌充填包装対応の１ピース口栓の断面図である。
【図２】（ａ）は、図１の口栓の平面図であり、（ｂ）は、側面図である。
【図３】図２（ｂ）Ａ−Ａ’線断面図である。
【図４】支柱先端に接続するプルリングの接続形状を示す断面図である。
【図５】図４のＢ−Ｂ’線断面図である。
【図６】一例の口栓付液体用紙容器の斜視図である。
【図７】従来の口栓付液体用紙容器の一例の口栓の断面図である。
【符号の説明】
【００１７】
１０……口栓本体
２０……容器
２１……胴部
２２……傾斜板
２３……口栓取付孔
１００……口栓本体
１１０……台座リング
１１１……仮止め突起
１２０……注出筒
１２１，２２１……咬合リング
１２２……雄ネジ
１３０……封鎖板
１３１……環状切込み
１３２……環状薄肉脆弱線
１３３……支柱
１３４……プルリング
１４０……フランジ
１５０……リブ
２００……蓋部
２１０……天板
２１１，４１２……インナー封止リング
２２０……周壁
２３０……開閉用つまみ
３００……ヒンジ部
４００……キャップ
４１０……天板
４１１……コンタクト封止リング
４２０……周壁
４２１……雌ネジ
θ°……傾斜角度
【図１】
2005271985.tif 000003
【図２】
2005271985.tif 000004
【図３】
2005271985.tif 000005
【図４】
2005271985.tif 000006
【図５】
2005271985.tif 000007
【図６】
2005271985.tif 000008
【図７】
2005271985.tif 000009